(57)【要約】【目的】レーザダイオードの点灯時間を短縮化することにより機器の高寿命化を図るとともに、一走査期間が短くなってもオートパワーコントロールのサンプル動作に十分な時間を確保することができる露光手段を提供すること。【構成】レーザ駆動手段と、ブラシレス直流モータと、複数のレーザ光源からの変調された複数のレーザ光を複数の反射面で反射し走査する回転多面鏡と、該回転多面鏡からの変調された複数の走査光を受光することにより潜像を露光し形成される感光体と、該複数のレーザ光の光出力を検出し、電気信号に変換する光センサとを有し、該複数のレーザが該感光体上を走査しない期間に、該光センサにより、該複数のレーザのうち１つのレーザ光の光量を検出し、目標光量となるように該レーザ駆動手段が駆動するときの該１つのレーザの定電流値を決定するサンプルホールド制御を行い、且つ、１走査期間は該複数のレーザ光源のうち１つのレーザ光源のサンプルホールド制御を行う。【選択図】　　　図１２
2004102198.tif 000002
【特許請求の範囲】
【請求項１】
電子写真式の画像形成装置において複数のレーザ光源と該複数のレーザ光源をそれぞれの画像信号に応じた変調駆動するレーザ駆動手段と、ブラシレス直流モータと、該ブラシレス直流モータに接続されて回転し、該複数のレーザ光源からの変調された複数のレーザ光を複数の反射面で反射し走査する回転多面鏡と、該回転多面鏡からの変調された複数の走査光を受光することにより潜像を露光し形成される感光体と、該複数のレーザ光の光出力を検出し、電気信号に変換する光センサとを有し、該複数のレーザが該感光体上を走査しない期間に、該光センサにより、該複数のレーザのうち１つのレーザ光の光量を検出し、目標光量となるように該レーザ駆動手段が駆動するときの該１つのレーザの定電流値を決定するサンプルホールド制御を行い、且つ、１走査期間は該複数のレーザ光源のうち１つのレーザ光源のサンプルホールド制御を行うことを特徴とする露光手段。
【請求項２】
前記光センサは感光体の走査方向の書き出し方向の上流に設置され、該光センサの出力と基準値との大小を比較し、その関係が変化するタイミングを出力する第２の比較手段と、該第２の比較手段の出力を基準にして予め決められた時間を遅延した後に画像信号を該レーザ駆動手段に入力する画像制御手段とを有し、該駆動手段は該第２の比較手段の出力を基準にしたタイミングでサンプルホールド制御を行うことを特徴とする請求項１記載の露光手段。
【発明の詳細な説明】
【０００１】
【発明の属する技術分野】
本発明は、複数のレーザ光により画像露光を行う複写機、プリンタ、ファクシミリ等の画像形成装置に用いるレーザ光の光量制御に関するものである。
【０００２】
【従来の技術】
従来、複数のレーザ光により画像露光を行う電子写真機器を２ビームレーザを例に説明する。
図１は従来の構成を示す図である。図１は平面図、図２は側面図である。同図において、先ず、１５は回転多面鏡、１６は回転多面鏡１５を回転駆動するレーザスキャナーモータである。回転多面鏡１５としては６面のものが用いられている。本実施形態では、このように多面化された回転多面鏡１５を用いている。
【０００３】
１７は記録用光源であるレーザダイオードであり、このレーザダイオード１７は、１つのパッケージより２本のレーザ光を発生する２ビームレーザダイオードである。そして、レーザダイオード１７は、不図示のレーザドライバにより画像信号に応じて点灯又は消灯し、レーザダイオード１７から発した光変調されたレーザ光は、コリメータレンズ２０を介して回転多面鏡１５に向けて照射される。回転多面鏡１５は矢印方向に回転していて、レーザダイオード１７から発したレーザ光は、回転多面鏡１５の回転に伴い、その反射面で連続的に角度を変える偏向ビームとして反射される。この反射光は、２１ｆ−θレンズにより歪曲収差の補正等を受け、反射鏡１８を経て感光ドラム１０の主走査方向に走査する。このとき、１つのビーム光は１ラインの走査に対応し、回転多面鏡１５の１面の走査により２ラインが感光ドラム１０の主走査方向に走査する。
【０００４】
感光ドラム１０は、予め帯電器１１により帯電されており、レーザ光の走査により順次露光され、静電潜像が形成される。又、感光ドラム１０は矢印方向に回転していて、形成された静電潜像は現像器１２により現像され、現像された可視像は転写帯電器１３により不図示の転写紙に転写される。可視像が転写された転写紙は、定着器１４に搬送され、定着を行った後に機外に排出される。
又、感光ドラム１０の側部における主走査方向の走査開始位置近傍又は相当する位置にＢＤセンサ１９が配置されている。回転多面鏡１５の各反射面で反射されたレーザ光は、ラインの走査に先立ってＢＤセンサ１９により検出される。検出されたＢＤ信号は、主走査方向の走査開始基準信号として不図示のタイミングコントローラに入力され、この信号を基準として各ラインの主走査方向の書き出し開始位置の同期が取られる。
【０００５】
次に、図３、図４及び図５は従来例に使用されるモノリシックタイプの２ビームレーザダイオードを説明したものである。図３はレーザチップを発光面から見た図である。同図において１００はモノリシックタイプのレーザチップである。１０３，１０４はそれぞれのレーザの発光点を示す。１０３，１０４発光点のそれぞれの間隔は一般的に１００μｍ程度である。
【０００６】
１０１はサブマウント、１０２は筐体と繋がるヒートシンクである。１０６，１０７はボンディングワイヤであり、それぞれ１０３，１０４を点灯するための電流を供給するものである。１０５はモニタ用のフォトダイオードであり、１０３，１０４発光点の反対側に相対する位置に設置され、１０３，１０４発光点の反対側より照射する光を受光する。
【０００７】
図４は２ビームレーザダイオードの構造を示した図である。同図において図３と同一番号は同一部材を示す。図５は２ビームレーザダイオードの回路図である。同図においてＬＤ１レーザダイオード、ＬＤ２レーザダイオードはレーザダイオードを示し、ＬＤ１レーザダイオードは図３における１０３発光点を構成するレーザダイオードを示している。
【０００８】
ＬＤ２レーザダイオードは、図３における１０４発光点を構成するレーザダイオードを示している。ＰＤ１は図３における１０５フォトダイオードを示している。ＬＤ１レーザダイオード、ＬＤ２レーザダイオードのカソード及びＰＤ１のアノードは接続され共通端子となっている。
【０００９】
図６はこのレーザチップがパッケージに入れられたレーザダイオード素子である。
【００１０】
レーザダイオードの発光点のピッチは先にも記したように一般的に１００μｍ程度であるが、例えば６００ＤＰＩの解像度の画像を形成する場合、感光体上の２つの走査ラインの中心間隔は約４２．３μｍとなるようにしなければならない。この間隔を調整するために、このレーザダイオード素子を矢印で示すように回転させることによりレーザ光の間隔を調整する。このように調整されたレーザ光が走査される状態を示したのが図７である。
【００１１】
図７において、３１，３２はレーザ光がレンズ群を介し結像されるスポットを示しており、その矢印はポリゴンミラーにより走査される方向を示している。スポット３１，３２の間隔は約１００μｍであるが、スポット３１，３２の方向は走査方向に対して浅い角度を有しているため、走査方向の間隔は約４２．３μｍとなっている。このとき、センサ１９ＢＤにはスポット３１が先に照射され、続いてスポット３２が照射されることとなる。
【００１２】
次に、レーザダイオードのオートパワーコントロールの動作を図８の回路図を用いて説明する。
【００１３】
図８において、ＰＤ１はモニタ用のフォトダイオードである。抵抗１３０はフォトダイオードＰＤ１にバイアス電流を印加する。フォトダイオードＰＤ１の出力は、サンプルホールド回路１１３，１２３に入力される。サンプルホールド回路１１３，１２３にはＣＰＵ１１０より入力されるＡＰＣ＿Ａ、ＡＰＣ＿Ｂサンプルホールド信号により制御される。サンプルホールド回路１１３，１２３の出力はそれぞれ定電流源１１１，１２１に入力され、定電流源１１１，１２１は入力された信号に相当する電流をスイッチ回路１１２，１２２に供給する。スイッチ回路１１２，１２２にはＣＰＵ１１０より入力されるＶｉｄｅｏ＿Ａ、Ｖｉｄｅｏ＿Ｂビデオ信号信号により制御される。
【００１４】
スイッチ回路１１２，１２２の出力は、レーザダイオードＬＤ１、レーザダイオードＬＤ２はレーザダイオードに供給される。又、ＰＤ２はＢＤセンサに用いられるフォトダイオードである。抵抗１３１はフォトダイオードＰＤ２にバイアス電流を印加する。ＰＤ２の出力はＢＤ信号生成回路１３２に入力され、更にＣＰＵ１１０にＢＤ信号として供給される。
【００１５】
先ず、レーザダイオードＬＤ１のオートパワーコントロール動作から説明する。
【００１６】
レーザダイオードＬＤ１のオートパワーコントロールを行う場合、Ｖｉｄｅｏ＿Ａ信号及びＡＰＣ＿Ａ信号はＨｉとなる。Ｖｉｄｅｏ＿Ａ信号がＨｉとなることによりレーザダイオードＬＤ１は定電流源１１１より供給される電流により点灯する。レーザダイオードＬＤ１のモニタ光はフォトダイオードＰＤ１により検出され、モニタ信号としてサンプルホールド回路１１３に入力される。ＡＰＣ＿Ａサンプルホールド信号信号がＨｉの場合、サンプルホールド回路１１３はフォトダイオードＰＤ１の出力のサンプル動作を行い、且つ、サンプル信号に基づき定電流源１１１に制御信号を供給する。定電流源１１１は、入力された制御信号に基づき定電流値を決定する。
【００１７】
以上の動作によりレーザダイオードＬＤ１の発光光量は一定の光量に制御される。次に、ＡＰＣ＿Ａ信号がＬｏとなった場合、サンプルホールド回路１１３はサンプル信号をホールドするため、フォトダイオードＰＤ１の出力に拘らず、サンプル信号に基いた制御信号を定電流源１１１，１１２に供給する。このとき、Ｖｉｄｅｏ＿Ａ信号がＨｉとなると、レーザダイオードＬＤ１はホールドされているサンプル信号に基づいた電流値を定電流源１１１より供給され点灯する。
【００１８】
レーザダイオードの特性として、経時変化、温度変化等を考慮しなければ定電流制御を行うことにより定出力制御を行うことが可能である。例えば、感光体上を一走査する時間は経時変化、温度変化に対し非常に短い時間のため、一走査期間のうち、露光しない期間にサンプル動作を行い、露光する期間はホールド動作を行うことにより一定の光量とするオートパワーコントロールが可能となる。又、レーザダイオードＬＤ２も同様にオートパワーコントロールは可能である。又、ＣＰＵ１１０はフォトダイオードＰＤ２の出力によりレーザの走査タイミングを検知し、サンプルホールドのタイミングを決定する。
【００１９】
この走査タイミングのシーケンスを図９により説明する。
【００２０】
図９において、ＢＤ信号、Ｖｉｄｅｏ＿Ａ信号、ＡＰＣ＿Ｂ信号、ＡＰＣ＿Ａ信号、ＡＰＣ＿Ｂ信号は図８の同一名の信号と同じである。ＢＤ＿Ａ信号はＢＤ信号よりレーザダイオードＬＤ１のレーザ光を検知した場合の信号を抽出した信号、同様にＢＤ＿Ｂ信号はＢＤ信号よりレーザダイオードＬＤ２のレーザ光を検知した場合の信号を抽出した信号であり、ＣＰＵ１１０の内部の信号である。
【００２１】
一走査の開始はＢＤ信号により決定されるが、それに先立ち、先ずＶｉｄｅｏ＿Ａ、Ｖｉｄｅｏ＿ＢによりレーザダイオードＬＤ１、レーザダイオードＬＤ２は点灯されている。
【００２２】
ｔ０の時刻においてレーザダイオードＬＤ１のレーザ光をＢＤセンサ１９は検知し、ＢＤ信号はＨｉとなる。ＣＰＵ１１０の内部カウンタはこのＢＤ信号の立上りでリセットされ、カウントを開始する。又、ＣＰＵ１１０は先に照射されるレーザ光はレーザダイオードＬＤ１のレーザ光と予め決められているため、ＢＤ＿Ａ信号をＨｉとする。この信号を基準に一走査のタイミング制御が行われる。
【００２３】
次に、ｔ１のタイミングでＣＰＵ１１０はＶｉｄｅｏ＿Ａ信号をＬｏとしてレーザダイオードＬＤ１を消灯させることによりＢＤ信号はＬｏとなり、ＢＤ＿Ａ信号もＬｏとなる。
【００２４】
次に、ｔ２の時刻においてレーザダイオードＬＤ２のレーザ光をＢＤセンサ１９は検知し、又、ＢＤ信号はＨｉとなる。ＣＰＵ１１０は後に照射されるレーザ光はレーザダイオードＬＤ２のレーザ光と予め決められているため、ＢＤ＿Ｂ信号をＨｉとする。この信号によりレーザダイオードＬＤ１の走査に対するレーザダイオードＬＤ２の走査の遅延時間を検知し、レーザダイオードＬＤ２のタイミング制御の基準となる。
【００２５】
次に、ｔ３のタイミングでＣＰＵ１１０はＶｉｄｅｏ＿Ｂ信号をＬｏとしてレーザダイオードＬＤ２を消灯させることによりＢＤ信号はＬｏとなり、ＢＤ＿Ｂ信号もＬｏとなる。
【００２６】
次に、ＣＰＵ１１０はｔ０より予め決められた時間をカウントした後のｔ４のタイミングでＶｉｄｅｏ＿Ａ信号より変調された画像信号を供給し、レーザダイオードＬＤ１による画像露光が開始される。
【００２７】
次に、ＣＰＵ１１０はｔ４に対してレーザダイオードＬＤ２の遅延時間をカウントした後のｔ５のタイミングでＶｉｄｅｏ＿Ｂ信号より変調された画像信号を供給し、レーザダイオードＬＤ２による画像露光が開始される。
【００２８】
次に、ＣＰＵ１１０はｔ０より画像露光時間に対し十分に長い、予め決められた時間をカウントした後のｔ６のタイミングでＶｉｄｅｏ＿Ａ信号にＨｉ、ＡＰＣ＿Ａ信号にＨｉを出力し、レーザダイオードＬＤ１のオートパワーコントロールのサンプル動作を開始する。
【００２９】
次に、ＣＰＵ１１０はサンプル動作に十分な時間をカウントした後にｔ７のタイミングでＶｉｄｅｏ＿Ａ信号にＬｏ、ＡＰＣ＿Ａ信号にＬｏを出力し、レーザダイオードＬＤ１のオートパワーコントロールのサンプル動作を終了する。
【００３０】
次に、ＣＰＵ１１０はｔ８のタイミングでＶｉｄｅｏ＿Ｂ信号にＨｉ、ＡＰＣ＿Ｂ信号にＨｉを出力し、レーザダイオードＬＤ２のオートパワーコントロールのサンプル動作を開始する。
【００３１】
次に、ＣＰＵ１１０はサンプル動作に十分な時間をカウントした後にｔ９のタイミングでＶｉｄｅｏ＿Ｂ信号にＬｏ、ＡＰＣ＿Ｂ信号にＬｏを出力し、レーザダイオードＬＤ２のオートパワーコントロールのサンプル動作を終了する。
【００３２】
次に、ＣＰＵ１１０はｔ１０のタイミングでＶｉｄｅｏ＿Ａ信号にＨｉ、Ｖｉｄｅｏ＿Ｂ信号にＨｉを出力し、レーザダイオードＬＤ１，ＬＤ２を点灯させる。
【００３３】
次に、ｔ１１のタイミングでレーザダイオードＬＤ１のレーザ光をＢＤセンサ１９は検知し、ＢＤ信号はＨｉとなる。これにより次の走査期間が開始され、後は同様の制御が行われる。
【００３４】
【発明が解決しようとする課題】
ところが、機器の寿命に対してレーザダイオードの寿命が無視できず、機器の高寿命化に対して弊害が生じてきている。
又、近年の機器の高速化により、一走査に有する時間も短くなり、オートパワーコントロールのサンプル動作が行える期間、つまり、画像の終了よりＢＤまでの時間も短くなってきている。
【００３５】
しかしながら、機器の高速化によるサンプル動作時間の短期化は、サンプル動作を不安定にさせるため、安定した光量制御を行うことは困難となってきており、これに伴う画像の劣化という問題も生じてきていた。
本発明は上記問題に鑑みてなされたもので、その目的とする処は、レーザダイオードの点灯時間を短縮化することにより機器の高寿命化を図るとともに、一走査期間が短くなってもオートパワーコントロールのサンプル動作に十分な時間を確保することができる露光手段を提供することにある。
【００３６】
【課題を解決するための手段】
上記目的を達成するため、本発明は、電子写真式の画像形成装置において複数のレーザ光源と該複数のレーザ光源をそれぞれの画像信号に応じた変調駆動するレーザ駆動手段と、ブラシレス直流モータと、該ブラシレス直流モータに接続されて回転し、該複数のレーザ光源からの変調された複数のレーザ光を複数の反射面で反射し走査する回転多面鏡と、該回転多面鏡からの変調された複数の走査光を受光することにより潜像を露光し形成される感光体と、該複数のレーザ光の光出力を検出し、電気信号に変換する光センサとを有し、該複数のレーザが該感光体上を走査しない期間に、該光センサにより、該複数のレーザのうち１つのレーザ光の光量を検出し、目標光量となるように該レーザ駆動手段が駆動するときの該１つのレーザの定電流値を決定するサンプルホールド制御を行い、且つ、１走査期間は該複数のレーザ光源のうち１つのレーザ光源のサンプルホールド制御を行うことを特徴とする。
【００３７】
【発明の実施の形態】
以下に本発明の実施の形態を添付図面を参照して詳細に説明する。
【００３８】
＜実施の形態１＞
本発明の実施の形態の走査タイミングのシーケンスを図１０により説明する。同図において、ＢＤ信号、Ｖｉｄｅｏ＿Ａ信号、ＡＰＣ＿Ｂ信号、ＡＰＣ＿Ａ信号、ＡＰＣ＿Ｂ信号、ＢＤ＿Ａ信号、ＢＤ＿Ｂ信号は図９従来例の同一名の信号と同じである。
【００３９】
図１０において、一走査の開始はＢＤ信号により決定されるが、それに先立ち、先ずＶｉｄｅｏ＿Ａ、Ｖｉｄｅｏ＿ＢによりレーザダイオードＬＤ１、レーザダイオードＬＤ２は点灯されている。
【００４０】
ｔ０の時刻においてレーザダイオードＬＤ１のレーザ光をＢＤセンサ１９は検知し、ＢＤ信号はＨｉとなる。ＣＰＵ１１０の内部カウンタはこのＢＤ信号の立上りでリセットされ、カウントを開始する。又、ＣＰＵ１１０は先に照射されるレーザ光はレーザダイオードＬＤ１のレーザ光と予め決められているため、ＢＤ＿Ａ信号をＨｉとする。この信号を基準に一走査のタイミング制御が行われる。
【００４１】
次に、ｔ１のタイミングでＣＰＵ１１０はＶｉｄｅｏ＿Ａ信号をＬｏとしてレーザダイオードＬＤ１を消灯させることによりＢＤ信号はＬｏとなり、ＢＤ＿Ａ信号もＬｏとなる。
【００４２】
次に、ｔ２の時刻においてレーザダイオードＬＤ２のレーザ光をＢＤセンサ１９は検知し、又、ＢＤ信号はＨｉとなる。ＣＰＵ１１０は後に照射されるレーザ光はレーザダイオードＬＤ２のレーザ光と予め決められているため、ＢＤ＿Ｂ信号をＨｉとする。この信号によりレーザダイオードＬＤ１の走査に対するレーザダイオードＬＤ２の走査の遅延時間を検知し、ＬＤ２レーザダイオードのタイミング制御の基準となる。
【００４３】
次に、ｔ３のタイミングでＣＰＵ１１０はＶｉｄｅｏ＿Ｂ信号をＬｏとしてレーザダイオードＬＤ２を消灯させることによりＢＤ信号はＬｏとなり、ＢＤ＿Ｂ信号もＬｏとなる。
【００４４】
次に、ＣＰＵ１１０はｔ０より予め決められた時間をカウントした後のｔ４のタイミングでＶｉｄｅｏ＿Ａ信号より変調された画像信号を供給し、レーザダイオードＬＤ１による画像露光が開始される。
【００４５】
次に、ＣＰＵ１１０はｔ４に対しレーザダイオードＬＤ２の遅延時間をカウントした後のｔ５のタイミングでＶｉｄｅｏ＿Ｂ信号より変調された画像信号を供給し、レーザダイオードＬＤ２による画像露光が開始される。
【００４６】
次に、ＣＰＵ１１０はｔ０より画像露光時間に対し十分に長い、予め決められた時間をカウントした後のｔ６のタイミングでＶｉｄｅｏ＿Ａ信号にＨｉ、ＡＰＣ＿Ａ信号にＨｉを出力し、レーザダイオードＬＤ１のオートパワーコントロールのサンプル動作を開始する。
【００４７】
次に、ＣＰＵ１１０はサンプル動作に十分な時間をカウントした後にｔ７のタイミングでＶｉｄｅｏ＿Ａ信号にＬｏ、ＡＰＣ＿Ａ信号にＬｏを出力し、レーザダイオードＬＤ１のオートパワーコントロールのサンプル動作を終了する。
【００４８】
次に、ＣＰＵ１１０はｔ８のタイミングでＶｉｄｅｏ＿Ａ信号にＨｉ、Ｖｉｄｅｏ＿Ｂ信号にＨｉを出力し、レーザダイオードＬＤ１，ＬＤ２を点灯させる。
【００４９】
次に、ｔ９のタイミングでレーザダイオードＬＤ１のレーザ光をＢＤセンサ１９は検知し、ＢＤ信号はＨｉとなる。これにより次の周期の走査期間が開始される。ＣＰＵ１１０の内部カウンタはこのＢＤ信号の立上りで再びリセットされ、カウントを開始する。又、ＣＰＵ１１０はＢＤ＿Ａ信号をＨｉとする。この信号を基準に次の周期の走査のタイミング制御が行われる。
【００５０】
次に、ｔ１０のタイミングでＣＰＵ１１０はＶｉｄｅｏ＿Ａ信号をＬｏとしてレーザダイオードＬＤ１を消灯させることによりＢＤ信号はＬｏとなり、ＢＤ＿Ａ信号もＬｏとなる。
【００５１】
次に、ｔ１１の時刻においてレーザダイオードＬＤ２のレーザ光をＢＤセンサ１９は検知し、又、ＢＤ信号はＨｉとなる。ＣＰＵ１１０は、ＢＤ＿Ｂ信号をＨｉとする。この信号により次の周期のレーザダイオードＬＤ１の走査に対するレーザダイオードＬＤ２の走査の遅延時間を検知し、次の周期のタイミング制御の基準とする。
【００５２】
次に、ｔ１２のタイミングでＣＰＵ１１０はＶｉｄｅｏ＿Ｂ信号をＬｏとしてレーザダイオードＬＤ２を消灯させることによりＢＤ信号はＬｏとなり、ＢＤ＿Ｂ信号もＬｏとなる。
【００５３】
次に、ＣＰＵ１１０はｔ９より予め決められた時間をカウントした後のｔ１３のタイミングでＶｉｄｅｏ＿Ａ信号より変調された画像信号を供給し、レーザダイオードＬＤ１による画像露光が開始される。
【００５４】
次に、ＣＰＵ１１０はｔ１３に対し次の周期のレーザダイオードＬＤ２の遅延時間をカウントした後のｔ１４のタイミングでＶｉｄｅｏ＿Ｂ信号より変調された画像信号を供給し、レーザダイオードＬＤ２による画像露光が開始される。
【００５５】
次に、ＣＰＵ１１０はｔ９より画像露光時間に対し十分に長い、予め決められた時間をカウントした後のｔ１５のタイミングでＶｉｄｅｏ＿Ｂ信号にＨｉ、ＡＰＣ＿Ｂ信号にＨｉを出力し、レーザダイオードＬＤ２のオートパワーコントロールのサンプル動作を開始する。
【００５６】
次に、ＣＰＵ１１０はサンプル動作に十分な時間をカウントした後にｔ１６のタイミングでＶｉｄｅｏ＿Ｂ信号にＬｏ、ＡＰＣ＿Ｂ信号にＬｏを出力し、レーザダイオードＬＤ２のオートパワーコントロールのサンプル動作を終了する。
【００５７】
次に、ＣＰＵ１１０はｔ１７のタイミングでＶｉｄｅｏ＿Ａ信号にＨｉ、Ｖｉｄｅｏ＿Ｂ信号にＨｉを出力し、レーザダイオードＬＤ１，ＬＤ２を点灯させる。
【００５８】
次に、ｔ１８のタイミングでレーザダイオードＬＤ１のレーザ光をＢＤセンサ１９は検知し、ＢＤ信号はＨｉとなる。これにより更に次の走査期間が開始される。
【００５９】
以上の動作によりレーザダイオードＬＤ１，ＬＤ２が一走査ごと交互にオートパワーコントロールのサンプル動作を行うことにより、一走査期間におけるサンプル期間を十分な時間を確保することが可能になる。
【００６０】
＜実施の形態２＞
図１１は本発明の実施の形態２を示した図である。
【００６１】
図１１においては図５に示す従来例に対してフォトダイオードＰＤ２が削除されている。これを用いた実施の形態２の回路図を図１２に示す。図１２において、ＢＤセンサのフォトダイオードＰＤ２の出力はＢＤ信号生成回路１３２以外にサンプルホールド回路１１３，１２３にも接続されている。他は実施の形態１と同様である。
【００６２】
同図において、ＢＤの検出とオートパワーコントロールのサンプルは同一のフォトダイオードＰＤ２で行う。
【００６３】
本実施の形態の走査タイミングのシーケンスを図１３により説明する。
【００６４】
図１３において、ＢＤ信号、Ｖｉｄｅｏ＿Ａ信号、ＡＰＣ＿Ｂ信号、ＡＰＣ＿Ａ信号、ＡＰＣ＿Ｂ信号、ＢＤ＿Ａ信号、ＢＤ＿Ｂ信号は図１０に示す実施の形態１の同一名の信号と同じである。
【００６５】
図１３において、一走査の開始はＢＤ信号により決定されるが、それに先立ち、先ずＶｉｄｅｏ＿Ａ信号によりレーザダイオードＬＤ１は点灯されている。
【００６６】
ｔ０の時刻においてレーザダイオードＬＤ１のレーザ光をＢＤセンサ１９は検知し、ＢＤ信号はＨｉとなる。ＣＰＵ１１０の内部カウンタは、このＢＤ信号の立上りでリセットされ、カウントを開始する。又、ＣＰＵ１１０は照射されるレーザ光はレーザダイオードＬＤ１のレーザ光と決められているため、ＢＤ＿Ａ信号をＨｉとする。この信号を基準に一走査のタイミング制御が行われる。
【００６７】
又、ＣＰＵ１１０はＢＤ＿Ａ信号をＨｉとするとともに、ＡＰＣ＿Ａ信号をＨｉを出力し、レーザダイオードＬＤ１のオートパワーコントロールのサンプル動作を開始する。
【００６８】
次に、ｔ１のタイミングでＣＰＵ１１０はＶｉｄｅｏ＿Ａ信号をＬｏとするとともにＡＰＣ＿Ａ信号にＬｏを出力することによりレーザダイオードＬＤ１を消灯させるとともに、レーザダイオードＬＤ１のオートパワーコントロールのサンプル動作を終了する。これによりＢＤ信号はＬｏとなり、ＢＤ＿Ａ信号もＬｏとなる。
【００６９】
次に、ＣＰＵ１１０はｔ０より予め決められた時間をカウントした後のｔ２のタイミングでＶｉｄｅｏ＿Ａ信号より変調された画像信号を供給し、レーザダイオードＬＤ１による画像露光が開始される。
【００７０】
次に、ＣＰＵ１１０はｔ２に対してレーザダイオードＬＤ２の予め決められた遅延時間をカウントした後のｔ３のタイミングでＶｉｄｅｏ＿Ｂ信号より変調された画像信号を供給し、レーザダイオードＬＤ２による画像露光が開始される。
【００７１】
次に、ＣＰＵ１１０はｔ０より画像露光時間に対し十分に長い、予め決められた時間をカウントした後のｔ４のタイミングでＶｉｄｅｏ＿Ｂ信号にＨｉを出力してレーザダイオードＬＤ２を点灯させる。
【００７２】
次に、ｔ５のタイミングでレーザダイオードＬＤ２のレーザ光をＢＤセンサ１９は検知し、ＢＤ信号はＨｉとなる。これにより次の周期の走査期間が開始される。ＣＰＵ１１０の内部カウンタはこのＢＤ信号の立上りで再びリセットされ、カウントを開始する。この信号を基準に次の周期の走査のタイミング制御が行われる。
【００７３】
又、ＣＰＵ１１０はＢＤ＿Ｂ信号をＨｉとするとともに、ＡＰＣ＿Ｂ信号をＨｉを出力し、レーザダイオードＬＤ２のオートパワーコントロールのサンプル動作を開始する。
【００７４】
次に、ｔ６のタイミングでＣＰＵ１１０はＶｉｄｅｏ＿Ｂ信号をＬｏとするとともにＡＰＣ＿Ｂ信号にＬｏを出力することによりレーザダイオードＬＤ２を消灯させるとともに、レーザダイオードＬＤ２のオートパワーコントロールのサンプル動作を終了する。これによりＢＤ信号はＬｏとなり、ＢＤ＿Ｂ信号もＬｏとなる。
【００７５】
次に、ＣＰＵ１１０はｔ５より予め決められた時間よりレーザダイオードＬＤ２の遅延時間分を短くした時間をカウントした後のｔ７のタイミングでＶｉｄｅｏ＿Ａ信号より変調された画像信号を供給し、レーザダイオードＬＤ１による画像露光が開始される。
【００７６】
次に、ＣＰＵ１１０はｔ５に対し次の周期のレーザダイオードＬＤ２の遅延時間をカウントした後のｔ８のタイミングでＶｉｄｅｏ＿Ｂ信号より変調された画像信号を供給し、レーザダイオードＬＤ２による画像露光が開始される。
【００７７】
次に、ＣＰＵ１１０はｔ５より画像露光時間に対し十分に長い、予め決められた時間をカウントした後のｔ９のタイミングでＶｉｄｅｏ＿Ａ信号にＨｉを出力しレーザダイオードＬＤ１を点灯させる。
【００７８】
次に、ｔ１０のタイミングでレーザダイオードＬＤ１のレーザ光をＢＤセンサ１９は検知し、ＢＤ信号はＨｉとなる。これによりさらに次の走査期間が開始される。
【００７９】
【発明の効果】
以上説明したように、本発明によれば、複数のレーザのうち、一走査期間においては１つのレーザのオートパワーコントロールのサンプル動作のみを行い、複数の走査で順次、複数のレーザのサンプルホールド動作を行うことによりオートパワーコントロール時の点灯時間を削減することにより機器の寿命を延ばすとともに、一走査期間におけるサンプル期間を短時間として、１回のサンプル時間に十分な時間を確保することにより、高速動作時においても安定したオートパワーコントロールを可能とすることにより画像の劣化を防ぐことができる。
又、オートパワーコントロールのサンプルに用いるフォトダイオードをＢＤセンサのフォトダイオードと共用することにより、レーザダイオードに内蔵するモニタ用のフォトダイオードを削除することが可能となるため、コストダウンを達成することもできる。
【図面の簡単な説明】
【図１】電子写真機器の上視図である。
【図２】電子写真機器の側面図である。
【図３】モノリシックタイプの２ビームレーザダイオードのレーザ照射側からの図である。
【図４】モノリシックタイプの２ビームレーザダイオードの構造図である。
【図５】モノリシックタイプの２ビームレーザダイオードの回路図である。
【図６】モノリシックタイプの２ビームレーザダイオードの外形図である。
【図７】ＢＤセンサをレーザが走査する状態を示す図である。
【図８】従来の実施形態の駆動回路図である。
【図９】従来の実施形態のシーケンスを表す図である。
【図１０】本発明の実施の形態１のシーケンスを表す図である。
【図１１】本発明の実施の形態２に用いるモノリシックタイプの２ビームレーザダイオードの回路図である。
【図１２】本発明の実施の形態２に用いる駆動回路図である。
【図１３】本発明の実施の形態２のシーケンスを示す図である。
【符号の説明】
１９　　　　　　ＢＤセンサ
１１０　　　　　ＣＰＵ
１１１，１２１　定電流源
１１２，１２２　スイッチ回路
１１３，１２３　サンプルホールド回路
１３０　　　　　抵抗
１３２　　　　　ＢＤ信号生成回路
ＬＤ１，ＬＤ２　レーザダイオード
ＰＤ２　　　　　フォトダイオード
【図１】
2004102198.tif 000003
【図２】
2004102198.tif 000004
【図３】
2004102198.tif 000005
【図４】
2004102198.tif 000006
【図５】
2004102198.tif 000007
【図６】
2004102198.tif 000008
【図７】
2004102198.tif 000009
【図８】
2004102198.tif 000010
【図９】
2004102198.tif 000011
【図１１】
2004102198.tif 000012
【図１２】
2004102198.tif 000013
【図１３】
2004102198.tif 000014
【手続補正書】
【提出日】平成14年10月24日(2002.10.24)
【手続補正１】
【補正対象書類名】図面
【補正対象項目名】図１０
【補正方法】追加
【補正の内容】
【図１０】
2004102198.tif 000015